(57)【特許請求の範囲】
【請求項１】
受信信号のデータの欠損を検出するデータ欠損検出部と、
前記データ欠損検出部により前記データの欠損が検出された場合、前記データの欠損量に基づいて前記受信信号のフィールド先頭位置を調整する調整部と、
前記調整部により調整された前記フィールド先頭位置に基づいて、前記受信信号の等化処理を行う等化処理部と
を備える受信装置。
【請求項２】
前記データ欠損検出部は、前記受信信号のセグメント先頭位置の間隔に基づいて、前記データの欠損と前記欠損量を検出する
請求項１に記載の受信装置。
【請求項３】
前記受信信号とセグメント同期信号の相関値に基づいて、前記セグメント先頭位置を検出するセグメント先頭位置検出部
をさらに備える
請求項２に記載の受信装置。
【請求項４】
前記データの欠損量は固定量であり、
前記データ欠損検出部は、前記受信信号のセグメント先頭位置が所定の位置に存在しない場合、前記データの欠損を検出し、
前記調整部は、前記データ欠損検出部により前記データの欠損が検出された場合、前記固定量に基づいて前記受信信号のフィールド先頭位置を調整する
請求項１に記載の受信装置。
【請求項５】
受信信号を受信する受信装置が、
前記受信信号のデータの欠損を検出するデータ欠損検出ステップと、
前記データ欠損検出ステップの処理により前記データの欠損が検出された場合、前記データの欠損量に基づいて前記受信信号のフィールド先頭位置を調整する調整ステップと、
前記調整ステップの処理により調整された前記フィールド先頭位置に基づいて、前記受信信号の等化処理を行う等化処理ステップと
を含む受信方法。
【請求項６】
コンピュータに、
受信信号のデータの欠損を検出するデータ欠損検出ステップと、
前記データ欠損検出ステップの処理により前記データの欠損が検出された場合、前記データの欠損量に基づいて前記受信信号のフィールド先頭位置を調整する調整ステップと、
前記調整ステップの処理により調整された前記フィールド先頭位置に基づいて、前記受信信号の等化処理を行う等化処理ステップと
を含む処理を実行させるためのプログラム。
【発明の詳細な説明】
【技術分野】
【０００１】
本技術は、受信装置、受信方法、およびプログラムに関し、特に、データの欠損によるタイミングの変化に迅速に対応することができるようにする受信装置、受信方法、およびプログラムに関する。
【背景技術】
【０００２】
一般的なデジタル復調装置では、タイミング同期後に等化処理が行われる（例えば、特許文献１参照）。
【先行技術文献】
【特許文献】
【０００３】
【特許文献１】特開２００７−１９５０７５号公報
【発明の概要】
【発明が解決しようとする課題】
【０００４】
従って、仮に、デジタル復調装置が受信する信号にデータの欠損が発生した場合には、データの欠損に応じて変化した変化後のタイミングに同期して等化処理を行うまでに一定の時間がかかる。その結果、例えば、デジタル復調装置としての受信装置がテレビジョン放送の放送波を受信している場合には、表示する画像の復帰が遅くなる。
【０００５】
本技術は、このような状況に鑑みてなされたものであり、データの欠損によるタイミングの変化に迅速に対応することができるようにするものである。
【課題を解決するための手段】
【０００６】
本技術の一側面の受信装置は、受信信号のデータの欠損を検出するデータ欠損検出部と、前記データ欠損検出部により前記データの欠損が検出された場合、前記データの欠損量に基づいて前記受信信号のフィールド先頭位置を調整する調整部と、前記調整部により調整された前記フィールド先頭位置に基づいて、前記受信信号の等化処理を行う等化処理部とを備える。
【０００７】
本技術の一側面の受信方法は、受信信号を受信する受信装置が、前記受信信号のデータの欠損を検出するデータ欠損検出ステップと、前記データ欠損検出ステップの処理により前記データの欠損が検出された場合、前記データの欠損量に基づいて前記受信信号のフィールド先頭位置を調整する調整ステップと、前記調整ステップの処理により調整された前記フィールド先頭位置に基づいて、前記受信信号の等化処理を行う等化処理ステップとを含む。
【０００８】
本技術の一側面のプログラムは、コンピュータに、受信信号のデータの欠損を検出するデータ欠損検出ステップと、前記データ欠損検出ステップの処理により前記データの欠損が検出された場合、前記データの欠損量に基づいて前記受信信号のフィールド先頭位置を調整する調整ステップと、前記調整ステップの処理により調整された前記フィールド先頭位置に基づいて、前記受信信号の等化処理を行う等化処理ステップとを含む処理を実行させるためのものである。
【０００９】
本技術の一側面においては、受信信号のデータの欠損が検出され、データの欠損が検出された場合、データの欠損量に基づいて受信信号のフィールド先頭位置が調整され、調整されたフィールド先頭位置に基づいて、受信信号の等化処理が行われる。
【００１０】
なお、プログラムは、伝送媒体を介して伝送することにより、又は、記録媒体に記録して、提供することができる。
【００１１】
受信装置は、独立した装置であっても良いし、１つの装置を構成している内部ブロックであっても良い。
【発明の効果】
【００１２】
本技術の一側面によれば、データの欠損によるタイミングの変化に迅速に対応することができる。
【図面の簡単な説明】
【００１３】
【図１】本技術が適用された受信装置の一実施の形態の構成例を示すブロック図である。
【図２】米国向け地上波デジタル放送の方式であるATSCのVSB方式の信号を説明する図である。
【図３】図１の同期回路と等化回路の詳細な構成例を示すブロック図である。
【図４】データ欠損のない正常時におけるセグメント同期相関器の処理結果を示す図である。
【図５】データ欠損発生時の受信信号を説明する図である。
【図６】データ欠損発生時におけるセグメント同期相関器の処理結果を示す図である。
【図７】受信処理を説明するフローチャートである。
【図８】データ欠損検出処理を説明するフローチャートである。
【図９】本技術が適用されたコンピュータの一実施の形態の構成例を示すブロック図である。
【発明を実施するための形態】
【００１４】
［受信装置の構成例］
図１は、本技術が適用された受信装置の一実施の形態の構成例を示している。
【００１５】
図１の受信装置１は、図示せぬ放送局の送信装置から送信されてくる放送波を受信する受信装置である。以下では、受信装置１が受信する放送波として、米国向け地上波デジタル放送の方式であるATSC(Advanced Television Standard Committee)のVSB(Vestigial Sideband)方式の信号を受信する場合を例に説明する。但し、受信装置１が受信可能な信号はこれに限定されるものではない。
【００１６】
受信装置１は、アンテナ１１、チューナ１２、AGC回路１３、同期回路１４、等化回路１５、および誤り訂正回路１６により構成される。
【００１７】
アンテナ１１は、送信されてくる放送波（RF信号）を受信し、その放送波をチューナ１２に出力する。
【００１８】
チューナ１２は、受信したRF信号に所定の周波数の信号を乗算することにより、RF信号をIF(Intermediate Frequency)信号に変換して出力する。
【００１９】
AGC回路１３は、IF信号に対してAGC制御を行う。即ち、AGC回路１３は、チューナ１２から供給される、VSBの変調方式で変調されているIF信号の振幅を所定の利得に従って制御する。AGC制御後のベースバンド信号は、図示せぬA/DコンバータによりデジタルのIF信号に変換され、同期回路１４に供給される。
【００２０】
同期回路１４は、AGC回路１３から供給されたIF信号の同期をとる同期処理を行い、同期処理によって得られた信号を等化回路１５に出力する。
【００２１】
等化回路１５は、同期回路１４から供給された信号に対して、送信時の信号と位相、振幅が同じものになるようにする等化処理を施し、その結果得られる等化信号を誤り訂正回路１６に出力する。
【００２２】
誤り訂正回路１６は、等化信号に対してデインターリーブ処理を施し、さらに、ビタビ復号、RS復号などの復号処理を施す。誤り訂正回路１６は、各種の処理を施すことによって得られた復号データ（トランスポートストリーム）を後段の外部出力部や出力バッファ等に出力する。
【００２３】
［ATSCのVSB方式の信号］
図２を参照して、米国向け地上波デジタル放送の方式であるATSCのVSB方式の信号について簡単に説明する。
【００２４】
ATSCのVSB方式の信号は、１フレームが２つのフィールドで構成される。
【００２５】
１フィールドは３１３セグメントで構成され、各フィールドの先頭の１セグメントにはフィールド同期信号が配置される。また、フィールド内の各セグメントは８３２個のデータシンボル（８３２シンボル）で構成され、各セグメントの先頭の４シンボルにはセグメント同期信号が配置される。フィールド同期信号とセグメント同期信号は、いずれも、受信装置１にとって既知の信号である。受信装置１は、既知のフィールド同期信号とセグメント同期信号を利用して等化処理の性能を向上させることができる。
【００２６】
［同期回路１４と等化回路１５の詳細構成例］
図３は、図１の同期回路１４と等化回路１５の詳細な構成例を示すブロック図である。
【００２７】
同期回路１４は、周波数同期部３０、セグメント同期相関器３１、タイミング同期部３２、および検出器３３により構成される。等化回路１５は、フィールド同期相関器４１および等化器４２により構成される。なお、同期回路１４および等化回路１５には、これ以外の処理を行う構成がさらに含まれるようにしてもよい。
【００２８】
周波数同期部３０は、搬送波を再生して周波数の同期を取る周波数同期処理を行い、AGC回路１３から供給されるIF信号をベースバンド信号に変換して、セグメント同期相関器３１およびタイミング同期部３２に供給する。
【００２９】
セグメント同期相関器３１は、ベースバンドの受信信号と既知のセグメント同期信号との相関値を算出し、最大の相関値（ピーク）を持つシンボルをセグメントの先頭位置として検出し、タイミング同期部３２および検出器３３に供給する。
【００３０】
タイミング同期部３２は、セグメント同期相関器３１から供給されるセグメントの先頭位置に基づいてタイミング同期をとり、VSB変調に対応する復調を行う。即ち、タイミング同期部３２は、ベースバンドの受信信号に対して、セグメントの先頭位置を基準に復調区間を決定し、復調を行う。復調後の信号は、等化回路１５の等化器４２に供給される。
【００３１】
検出器３３は、セグメント同期相関器３１から供給されるセグメントの先頭位置に基づいて、データの欠損（の有無）を検出する。そして、データの欠損があった場合、検出器３３は、データ欠損フラグにより、データ欠損の発生を、等化回路１５の等化器４２に通知する。また、検出器３３は、データ欠損量、即ち、データの欠損により生じたデータ（シンボル）のずれ量も、等化器４２に通知する。
【００３２】
等化回路１５のフィールド同期相関器４１は、受信信号と既知のフィールド同期信号との相関値を算出し、最大の相関値を持つシンボルをフィールドの先頭位置として検出し、等化器４２に供給する。
【００３３】
等化器４２は、タイミング同期部３２から供給された信号に対して等化処理を行い、その結果得られる等化信号を誤り訂正回路１６（図１）に出力する。等化器４２は、例えば、LMS(Least Mean Square)等のアルゴリズムに基づき、タップ係数が最適値に収束するように制御を行う。
【００３４】
また、等化器４２には、受信信号にデータの欠損が発生した場合、同期回路１４の検出器３３から、データの欠損を示すデータ欠損フラグと、そのときのシンボルずれ量が供給される。等化器４２は、データ欠損フラグとシンボルずれ量が同期回路１４の検出器３３から供給された場合、フィールド先頭位置を、供給されたシンボルずれ量だけ調整し（ずらし）、等化処理を行う。
【００３５】
図４乃至図６を参照して、データの欠損を検出する処理について説明する。
【００３６】
［正常時のセグメント同期相関器３１の処理結果］
図４は、データ欠損のない正常時におけるセグメント同期相関器３１の処理結果を示している。
【００３７】
図４Aは、１セグメントに対するセグメント同期相関器３１の処理結果を示し、図４Bは、連続する複数セグメントに対するセグメント同期相関器３１の処理結果を示している。
【００３８】
セグメント同期相関器３１は、受信信号と既知の４シンボルのセグメント同期信号との相関値（以下、セグメント同期相関値ともいう。）をシンボル毎に算出する。各シンボルについて算出されるセグメント同期相関値の１セグメント分について、横軸をシンボル、縦軸をセグメント同期相関値として表すと、データ欠損がない場合には、図４A右側に示されるように、セグメント同期相関値は各セグメントの先頭位置で最大となる。連続する複数セグメントに対して、算出されるセグメント同期相関値を同様に示すと、図４Bに示されるように、セグメント同期相関値のピークが８３２シンボルごとに出現する。ここで、セグメント同期相関値のピークとは、セグメント同期相関値が、セグメント同期信号以外の信号との間で算出される相関値と明確に識別可能な所定の閾値以上であることを表す。
【００３９】
セグメント同期相関器３１は、セグメント同期相関値のピークに基づいて、セグメントの先頭位置を検出し、タイミング同期部３２と検出器３３に供給する。なお、セグメント同期信号は４シンボルしかないため、信頼性を向上させるため、シンボル毎に算出されたセグメント同期相関値に対して、リーク積分や時間方向の平均等の処理を行うようにして、その処理結果に基づいてセグメントの先頭位置を検出してもよい。
【００４０】
［データ欠損発生時の受信信号］
次に、図５を参照して、データ欠損発生時の受信信号について説明する。
【００４１】
データの欠損がない場合、受信装置１では、先頭のフィールド同期信号が等間隔のタイミングで受信される。即ち、図５の最上部に示すように、時刻ｔ11−時刻ｔ12間、時刻ｔ12−時刻ｔ13間、時刻ｔ13−時刻ｔ14間、時刻ｔ14−時刻ｔ15間の時間が同一となる。なお、時刻ｔ11、時刻ｔ12、時刻ｔ13、時刻ｔ14、及び時刻ｔ15は、正常時における各フィールドのデータの区切りに対応する時刻である。
【００４２】
一方、データの欠損が発生した場合、データの欠損が発生した時刻以降の受信データは、データの欠損がない正常時よりも受信タイミングが、データの欠損量に対応する時間だけ早くなる。
【００４３】
図５の例では、時刻ｔ13−時刻ｔ14間で受信される１フィールドのデータに欠損が発生した場合の例が示されている。この場合、時刻ｔ13−時刻ｔ14間で受信されるデータ量はデータの欠損量だけ少なくなるため、正常時には、時刻ｔ14から受信を開始していた１フィールドのデータが、時刻ｔ14’から受信を開始するようになる。同様に、正常時には、時刻ｔ15から受信を開始していた１フィールドのデータが、時刻ｔ15’から受信を開始するようになる。
【００４４】
このように、データの欠損が発生した場合、データ欠損発生前と発生後で、フィールド同期信号の受信タイミングが異なってしまうことになる。なお、この受信タイミングのずれは、フィールド同期信号だけではなく、セグメント同期信号についても同様に言える。
【００４５】
［データ欠損発生時のセグメント同期相関器３１の処理結果］
図６は、データ欠損発生時におけるセグメント同期相関器３１の処理結果を示している。なお、図６において、データの欠損量は５２シンボルとしている。
【００４６】
図６において、データ欠損発生前のセグメント同期相関値は、黒色の棒グラフで示されている。データ欠損発生前は、セグメント同期相関値のピークが、１セグメントのシンボル数である８３２シンボルごとに出現している。
【００４７】
そして、データ欠損が発生して以降、セグメント同期相関値のピークが、データ欠損発生前と等間隔の位置とは別の、斜線の棒グラフで示される、データ欠損発生前のピーク位置より５２シンボル早い位置にも出現している。
【００４８】
データ欠損発生前の位置と等間隔の位置に発生しているセグメント同期相関値のピークの値は、データ欠損発生以降、徐々に小さくなっている。逆に、データ欠損発生前のピーク位置より５２シンボル早い位置に新たに発生したセグメント同期相関値のピークの値は、データ欠損発生以降、徐々に大きくなっている。そして、最終的には、データ欠損発生前の位置と等間隔の位置に発生しているセグメント同期相関値のピークが消滅し、データ欠損発生前のピーク位置より５２シンボル早い位置に新たに発生したセグメント同期相関値のピークのみとなっている。
【００４９】
なお、図６において、セグメント同期相関値のピークの位置が、データ欠損が発生した直後のセグメントで完全に入れ替わらずに、数セグメントで入れ替わるようになっているのは、上述した信頼性向上のための処理（例えば、時間方向の平均処理）が行われているためである。
【００５０】
図４を参照して説明したように、セグメント同期相関器３１は、シンボル毎に算出されたセグメント同期相関値の最大値に基づいて、セグメントの先頭位置を検出し、タイミング同期部３２と検出器３３に供給する。
【００５１】
従って、図６において、黒色の棒グラフのピークと斜線の棒グラフのピークの大小関係が交代したときに、セグメント同期相関器３１から検出器３３に供給されるセグメントの先頭位置は、データの欠損量に対応する時間（シンボル数）だけずれた値となる。
【００５２】
検出器３３は、セグメント同期相関器３１からセグメントの先頭位置が供給されるごとに、セグメント先頭位置間隔を算出する。即ち、検出器３３は、セグメントの先頭位置が供給されるごとに、供給されたセグメントの先頭位置と、その１つ前に供給されたセグメントの先頭位置とのシンボル数（時間間隔）を算出する。
【００５３】
そして、検出器３３は、算出されたセグメント先頭位置間隔が、１つ前に算出したセグメント先頭位置間隔と同一である場合、データの欠損がないと判定する。一方、算出されたセグメント先頭位置間隔が、１つ前に算出したセグメント先頭位置間隔と異なる場合、検出器３３は、データの欠損が発生したと判定し、データ欠損フラグと、そのときのシンボルずれ量を、等化回路１５の等化器４２に供給する。
【００５４】
これにより、等化器４２は、次に入力されてくるフィールド同期信号を取得する前に、正しいフィールド同期信号のタイミングを知ることが可能となる。換言すれば、等化器４２は、フィールド同期相関器４１から、データ欠損により生じるタイミング変化後の正しいフィールド同期信号に基づくフィールド先頭位置を取得する前に、正しいフィールド同期信号のタイミングを知ることが可能となる。等化器４２は、供給されたシンボルずれ量だけ、フィールド同期のタイミングをずらして等化処理を実行する。従って、等化器４２は、等化処理を最初からやり直すことなく、タップ係数を最適値に収束させることができる。
【００５５】
なお、データ欠損フラグとシンボルずれ量は、等化回路１５のフィールド同期相関器４１に供給されるようにして、フィールド同期相関器４１が、フィールド先頭位置の修正量を等化器４２に供給するようにしてもよい。
【００５６】
［受信処理のフロー］
図７は、受信装置１の受信処理のフローチャートを示している。
【００５７】
初めに、ステップＳ１において、チューナ１２は、アンテナ１１で受信したRF信号に所定の周波数の信号を乗算することにより、RF信号をIF信号に変換し、AGC回路１３に出力する。
【００５８】
ステップＳ２において、AGC回路１３は、VSBの変調方式で変調されているIF信号の振幅を所定の利得に従って制御する。AGC制御後のIF信号は、A/DコンバータによりデジタルのIF信号に変換され、同期回路１４に供給される。
【００５９】
ステップＳ３において、同期回路１４の周波数同期部３０は、搬送波を再生して周波数の同期を取る周波数同期処理を行い、AGC回路１３から供給されるIF信号をベースバンド信号に変換する。処理後のベースバンド信号は、セグメント同期相関器３１およびタイミング同期部３２に供給される。
【００６０】
ステップＳ４において、タイミング同期部３２は、ベースバンドの受信信号に対して、セグメント同期相関器３１から供給されるセグメントの先頭位置に基づいてタイミング同期をとり、VSB変調に対応する復調を行う。ステップＳ４において、セグメント同期相関器３１では、セグメント同期相関値がシンボル毎に算出され、セグメント同期相関値の最大値に基づいて、セグメントの先頭位置が検出され、タイミング同期部３２に供給される。
【００６１】
ステップＳ５において、等化器４２は、フィールド同期信号に基づいて、等化処理を行い、その結果得られた等化信号を誤り訂正回路１６に出力する。
【００６２】
ステップＳ６において、誤り訂正回路１６は、等化信号に対してデインターリーブ処理を施し、さらに、ビタビ復号、RS復号などの復号処理を施して、処理後の復号データ（トランスポートストリーム）を後段の出力バッファ等に出力して、処理を終了する。
【００６３】
［データ欠損検出処理］
次に、図８のフローチャートを参照して、同期回路１４と等化回路１５によるデータ欠損検出処理について説明する。この処理は、例えば、セグメントの先頭位置がセグメント同期相関器３１から検出器３３に供給される毎に実行される。
【００６４】
初めに、ステップＳ１１において、検出器３３は、セグメント同期相関器３１から供給されるセグメントの先頭位置を取得する。
【００６５】
ステップＳ１２において、検出器３３は、セグメント先頭位置間隔を算出する。即ち、検出器３３は、ステップＳ１１で取得したセグメントの先頭位置と、その１つ前に取得したセグメントの先頭位置とのシンボル数（時間間隔）を算出する。
【００６６】
ステップＳ１３において、検出器３３は、算出されたセグメント先頭位置間隔が、その１つ前に算出したセグメント先頭位置間隔と同一であるかを判定する。
【００６７】
ステップＳ１３で、算出されたセグメント先頭位置間隔が、その１つ前のセグメント先頭位置間隔と同一であると判定された場合、処理は終了する。即ち、この場合、セグメント同期信号が等間隔で取得されており、データ欠損が発生していないため、処理は終了する。
【００６８】
一方、ステップＳ１３で、算出されたセグメント先頭位置間隔が、その１つ前のセグメント先頭位置間隔と同一ではないと判定された場合、即ち、データの欠損が発生した場合、処理はステップＳ１４に進み、検出器３３は、データの欠損量を算出する。ステップＳ１２で算出されたセグメント先頭位置間隔と、その１つ前のセグメント先頭位置間隔との差分がデータの欠損量となる。
【００６９】
そして、ステップＳ１５において、検出器３３は、データ欠損フラグと、そのときのデータの欠損量であるシンボルずれ量を、等化回路１５の等化器４２に供給する。
【００７０】
ステップＳ１６において、等化器４２は、供給されたシンボルずれ量だけ、フィールド同期のタイミングをずらして等化処理を行って、処理を終了する。
【００７１】
なお、ステップＳ１６の処理は、一連の処理を説明して理解を容易にするための記載であり、図７のステップＳ５の処理に相当する。従って、ステップＳ１６の処理は、ステップＳ５における等化処理が、供給されたシンボルずれ量だけ、フィールド同期のタイミングをずらして行われることを説明している。
【００７２】
以上のように、図１の受信装置１によれば、データ欠損検出処理により検出されたフィールド同期のタイミングのずれを即座に等化回路１５の等化器４２に供給することができる。その結果、等化器４２は、データ欠損により生じるタイミング変化後の正しいフィールド先頭位置を、フィールド同期相関器４１から取得する前に、正しいフィールド同期信号のタイミングを知ることが可能となる。
【００７３】
等化器４２は、供給されたシンボルずれ量だけ、フィールド同期のタイミングをずらして等化処理を実行するので、等化処理を最初からやり直すことなく、タップ係数を最適値に収束させることができる。即ち、等化器４２がデータの欠損によるタイミングの変化に迅速に対応する（短時間で追従する）ことができる。
【００７４】
これにより、例えば、タイミング同期が外れてしまう程の急激なタイミング変化が起こった場合でも、受信信号１により受信した放送波の信号を表示している表示装置では、画像の復帰が早く、かつ、再同期後の画像の乱れの発生も防ぐことができる。
【００７５】
［変形例］
なお、上述した実施の形態以外に、以下のような形態を採用することも可能である。
【００７６】
例えば、上述した実施の形態では、検出器３３が、データの欠損量が不明であることを前提として、データの欠損量が算出され、シンボルずれ量として、データ欠損フラグとともに等化器４２に供給されていた。
【００７７】
しかし、データの欠損量が一定（固定）かつ既知である場合には、検出器３３は、所定の位置にセグメント同期相関値のピークが存在するか否かのみを検出すればよい。即ち、１つ前のセグメント先頭位置から１セグメント（８３２シンボル）分移動した先にセグメント同期相関値のピークが存在するか否かのみを検出すればよい。そして、所定の位置にセグメント同期相関値のピークが存在しないと判定された場合、データ欠損フラグのみが、検出器３３から等化器４２に供給される。等化器４２は、データの欠損が発生したことを認識した場合、既知である固定のデータ欠損量だけ、フィールド同期のタイミングをずらして等化処理を実行することができる。
【００７８】
さらに、データの欠損量が固定である場合と可変である場合とを設定により切り換えられるようにし、固定である場合のシンボルずれ量を入力（設定）可能とすることもできる。
【００７９】
上述した実施の形態では、受信装置１が受信する放送波として、米国向け地上波デジタル放送の方式であるATSCのVSB方式の信号を受信する場合を例に説明したが、本技術は、これ以外の受信信号を受信する場合にも適用可能である。例えば、変調方式が、VSB方式ではなく、QAM（Quadrature Amplitude Modulation）方式などでもよい。
【００８０】
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【００８１】
図９は、上述した一連の処理をプログラムにより実行するコンピュータのハードウエアの構成例を示すブロック図である。
【００８２】
コンピュータにおいて、CPU（Central Processing Unit）１０１，ROM（Read Only Memory）１０２，RAM（Random Access Memory）１０３は、バス１０４により相互に接続されている。
【００８３】
バス１０４には、さらに、入出力インタフェース１０５が接続されている。入出力インタフェース１０５には、入力部１０６、出力部１０７、記憶部１０８、通信部１０９、及びドライブ１１０が接続されている。
【００８４】
入力部１０６は、キーボード、マウス、マイクロホンなどよりなる。出力部１０７は、ディスプレイ、スピーカなどよりなる。記憶部１０８は、ハードディスクや不揮発性のメモリなどよりなる。通信部１０９は、ネットワークインタフェースなどよりなる。ドライブ１１０は、磁気ディスク、光ディスク、光磁気ディスク、或いは半導体メモリなどのリムーバブル記録媒体１１１を駆動する。
【００８５】
以上のように構成されるコンピュータでは、CPU１０１が、例えば、記憶部１０８に記憶されているプログラムを、入出力インタフェース１０５及びバス１０４を介して、RAM１０３にロードして実行することにより、上述した一連の処理が行われる。
【００８６】
コンピュータでは、プログラムは、リムーバブル記録媒体１１１をドライブ１１０に装着することにより、入出力インタフェース１０５を介して、記憶部１０８にインストールすることができる。また、プログラムは、ローカルエリアネットワーク、インターネット、デジタル衛星放送といった、有線または無線の伝送媒体を介して、通信部１０９で受信し、記憶部１０８にインストールすることができる。その他、プログラムは、ROM１０２や記憶部１０８に、あらかじめインストールしておくことができる。
【００８７】
本明細書において、フローチャートに記述されたステップは、記載された順序に沿って時系列的に行われる場合はもちろん、必ずしも時系列的に処理されなくとも、並列に、あるいは呼び出しが行われたとき等の必要なタイミングで実行されてもよい。
【００８８】
本技術の実施の形態は、上述した実施の形態に限定されるものではなく、本技術の要旨を逸脱しない範囲において種々の変更が可能である。
【００８９】
なお、本技術は以下のような構成も取ることができる。
（１）
受信信号のデータの欠損を検出するデータ欠損検出部と、
前記データの欠損の検出結果に基づいて、前記データの欠損量だけ処理タイミングを調整するタイミング調整部と
を備える受信装置。
（２）
前記データの欠損量は一定の値であり、
前記タイミング調整部は、前記データの欠損が検出された場合、固定のデータ量だけ処理タイミングを調整する
前記（１）に記載の受信装置。
（３）
前記データ欠損検出部は、前記データの欠損量も検出し、
前記タイミング調整部は、前記データ欠損検出部が検出した前記データの欠損量だけ、処理タイミングを調整する
前記（１）または（２）に記載の受信装置。
（４）
前記タイミング調整部で調整されたタイミングで前記受信信号を処理する信号処理部をさらに備える
前記（１）から（３）のいずれかに記載の受信装置。
（５）
前記信号処理部は、前記受信信号の等化処理を行う
前記（４）に記載の受信装置。
（６）
受信信号を受信する受信装置が、
前記受信信号のデータの欠損を検出し、
前記データの欠損の検出結果に基づいて、前記データの欠損量だけ処理タイミングを調整する
ステップを含む受信方法。
（７）
コンピュータに、
受信信号のデータの欠損を検出し、
前記データの欠損の検出結果に基づいて、前記データの欠損量だけ処理タイミングを調整する
ステップを含む処理を実行させるためのプログラム。
【符号の説明】
【００９０】
１  受信装置，  １４  同期回路，  １５  等化回路，  ３１  セグメント同期相関器，  ３２  タイミング同期部，  ３３  検出器，  ４１  フィールド同期相関器，  ４２  等化器
【図１】
0005720373.tif 000002
【図２】
0005720373.tif 000003
【図３】
0005720373.tif 000004
【図４】
0005720373.tif 000005
【図５】
0005720373.tif 000006
【図６】
0005720373.tif 000007
【図７】
0005720373.tif 000008
【図８】
0005720373.tif 000009
【図９】
0005720373.tif 000010